(57)【要約】【課題】ハニカム構造材に対し十分な接着強度を得ることができ、化粧縁部材の剥がれを防止することが可能な複合化粧パネルを提供する。【解決手段】ペーパーハニカム２、表面材３、及び裏面材４からなるサンドイッチ構造のパネル体５と、パネル体５の木口面５ａに貼着された化粧縁部材７とを備える。特に、ペーパーハニカム２の端面には、パネル体５の木口面５ａから外方に突出するように形成され、且つその後、木口面５ａに沿って折曲げられた複数の折曲突出片１２が設けられ、化粧縁部材７は、複数の折曲突出片１２を含むパネル体５の木口面５ａに、接着剤を介して貼着されている。【選択図】図１
2010260252.tif 000002
【特許請求の範囲】
【請求項１】
ハニカム構造材と、
該ハニカム構造材を芯材として、該ハニカム構造材の表面側に接着された表面材と、
前記ハニカム構造材の裏面側に接着された裏面材と、
前記表面材、前記ハニカム構造材、及び前記裏面材からなるサンドイッチ構造のパネル体の木口面に貼着された化粧縁部材と
を備え、
前記ハニカム構造材の端面には、前記パネル体の前記木口面から外方に突出するように形成され、且つその後、前記木口面に沿って折曲げられた複数の折曲突出片が設けられ、
前記化粧縁部材は、接着剤を介して、前記複数の折曲突出片を含む前記パネル体の前記木口面に貼着されている
ことを特徴とする複合化粧パネル。
【請求項２】
ハニカム構造体と、
該ハニカム構造材を芯材として、該ハニカム構造材の表面側に接着された表面材と、
前記ハニカム構造材の裏面側に接着された裏面材と
からなるサンドイッチ構造のパネル体に対し、該パネル体の木口面に化粧縁部材を貼着する複合化粧パネルにおける化粧縁部材の貼着方法であって、
前記表面材及び前記裏面材の端面を切欠くことにより、前記パネル体の前記木口面から前記ハニカム構造材の端面を相対的に外方に突出させて複数の突出片を形成する突出片形成工程と、
外方に突出した前記突出片を前記パネル体の前記木口面に沿って折曲げることにより、該木口面と略同一平面上に位置する複数の折曲突出片を形成する突出片折曲工程と、
前記化粧縁部材を、前記複数の折曲突出片を含む前記パネル体の前記木口面に、接着剤を介して圧着させる貼着工程と
を有することを特徴とする複合化粧パネルにおける化粧縁部材の貼着方法。
【発明の詳細な説明】
【技術分野】
【０００１】
本発明は、複合化粧パネル、特に芯材としてハニカム構造材を備えた複合化粧パネル、及び該複合化粧パネルにおける化粧縁部材の貼着方法に関するものである。
【背景技術】
【０００２】
従来、住宅内のドアや収納扉等に用いられる複合化粧パネルとして、例えばハニカム構造材を芯材とし、その表面側に薄板状の化粧板を貼り合わせ、裏面側にＭＤＦ（中質繊維板）等の木質材を貼り合わせてなるサンドイッチ構造のパネル体が知られている（特許文献１参照）。これによれば、芯材としてハニカム構造材を用いることにより、軽量化を図るとともに反りを防止することが可能となる。
【０００３】
なお、ハニカム構造材としては、紙から形成されたペーパーハニカムの他、アルミニウム等の軽金属またはプラスチック等の合成樹脂で形成されたものが一般に知られている。また、ハニカムの構造としては、例えば六角形のセルを多数配列させて構成したものや、長手方向に沿って波形に形成された波状部と平板状の平坦部とを交互に積層して構成したものが知られている。
【０００４】
一方、パーティクルボード等の木質材の木口に、接着剤を介して化粧縁部材を貼着したものも知られている（特許文献２参照）。これによれば、木質材の表面側や裏面側だけではなく、木口面においても意匠性を高めることができ、例えばテーブルの天板や棚板等として用いることも可能である。
【発明の概要】
【発明が解決しようとする課題】
【０００５】
しかし、上記のようなハニカム構造材を芯材とするパネル体においては、木口面に化粧縁部材を接着しようとしても、十分な接着強度を得ることができず、例えば化粧縁部材に対して大きな引張り力を作用させた場合には、化粧縁部材が剥がれることが懸念されている。詳しく説明すると、ハニカム構造材は、内部に多くの空隙が形成されるように薄板状の部材を組合わせて蜂の巣状に構成されているため、パネル体を所望の大きさに切断した際の端面（木口面）は、多くの窪みが所定の間隔で形成された凹凸面となり、十分な接着面積を確保することができなかった。つまり、化粧縁部材とハニカム構造材とは、ハニカム構造材を構成する薄板状の部材の端面（すなわち線状の部分）のみで接触することとなり、接着面積の不足から十分な接着強度を得ることができなかった。
【０００６】
そこで、本発明は、上記の実状に鑑み、ハニカム構造材に対し十分な接着強度を得ることができ、化粧縁部材の剥がれを防止することが可能な複合化粧パネル、及び複合化粧パネルにおける化粧縁部材の貼着方法の提供を課題とするものである。
【課題を解決するための手段】
【０００７】
本発明にかかる複合化粧パネルは、「ハニカム構造材と、
該ハニカム構造材を芯材として、該ハニカム構造材の表面側に接着された表面材と、
前記ハニカム構造材の裏面側に接着された裏面材と、
前記表面材、前記ハニカム構造材、及び前記裏面材からなるサンドイッチ構造のパネル体の木口面に貼着された化粧縁部材と
を備え、
前記ハニカム構造材の端面には、前記パネル体の前記木口面から外方に突出するように形成され、且つその後、前記木口面に沿って折曲げられた複数の折曲突出片が設けられ、
前記化粧縁部材は、接着剤を介して、前記複数の折曲突出片を含む前記パネル体の前記木口面に貼着されている」ことを特徴とするものである。
【０００８】
ここで、「ハニカム構造材」としては、紙から構成されたペーパーハニカムを用いてもよく、アルミニウム等の軽金属から構成された金属製ハニカムを用いるようにしてもよい。また、ハニカムの構成は特に限定されるものではないが、波状部及び平坦部を交互に積層して構成したものや、六角形のセルを多数配列して形成されたものを例示することができる。
【０００９】
また、「表面材」及び「裏面材」の材質は特に限定されるものではないが、メラミン化粧板、またはＭＤＦ（中質繊維板）を例示することができる。また、「表面材」及び「裏面材」は、夫々一枚の部材から構成してもよいが、複数枚の薄板部材を貼り合わせて構成してもよい。例えば、表面材を、メラミン化粧板及び紙管原紙から構成し、メラミン化粧板が表面側（外側）となるように貼り合わせるようにしてもよい。また、「化粧縁部材」の材質も特に限定されるものではなく、ＡＢＳ樹脂等の樹脂部材であってもよく、木材であってもよい。
【００１０】
また、「折曲突出片」は、形状として折曲がっていればよく、例えば折曲げる方向を予め定め、その方向に力を加えることにより構成してもよく、内側に向って突出片を押圧し押潰すことにより構成してもよい。
【００１１】
本発明の複合化粧パネルによれば、パネル体は、サンドイッチ構造であり、ハニカム構造材を芯材として、その表面側に表面材が貼り合わせられ、裏面側に裏面材が貼り合わせられている。特に、ハニカム構造材の端面には、複数の折曲突出片が形成されており、これらの折曲突出片を含むパネル体の木口面に、接着剤を介して化粧縁部材が貼着されている。ここで折曲突出片は、パネル体の木口面から外方に突出する突出片を、木口面に沿って折曲げられることで形成されたものであり、これによれば、ハニカム構造材の端面における空隙が折曲突出片によって塞がれた状態となる。つまり、化粧縁部材に当接する面積が増え、ひいては接着面積を大幅に増やすことが可能になる。
【００１２】
また、本発明の複合化粧パネルにおける化粧縁部材の貼着方法は、「ハニカム構造体と、
該ハニカム構造材を芯材として、該ハニカム構造材の表面側に接着された表面材と、
前記ハニカム構造材の裏面側に接着された裏面材と
からなるサンドイッチ構造のパネル体に対し、該パネル体の木口面に化粧縁部材を貼着する複合化粧パネルにおける化粧縁部材の貼着方法であって、
前記表面材及び前記裏面材の端面を切欠くことにより、前記パネル体の前記木口面から前記ハニカム構造材の端面を相対的に外方に突出させて複数の突出片を形成する突出片形成工程と、
外方に突出した前記突出片を前記パネル体の前記木口面に沿って折曲げることにより、該木口面と略同一平面上に位置する複数の折曲突出片を形成する突出片折曲工程と、
前記化粧縁部材を、前記複数の折曲突出片を含む前記パネル体の前記木口面に、接着剤を介して圧着させる貼着工程と
を有する」ことを特徴とするものである。
【００１３】
本発明の複合化粧パネルにおける化粧縁部材の貼着方法によれば、化粧縁部材をパネル体の木口に貼着させる際、少なくとも突出片形成工程、突出片折曲工程、及び貼着工程が順に行われる。まず突出片形成工程では、表面材及び裏面材の端面を切欠くことにより、パネル体の木口面からハニカム構造材の端面を相対的に外方に突出させて複数の突出片を形成する。なお、表面材及び裏面材の端面を切欠く際、表面材及び裏面材に夫々隣接するハニカム構造材の一部も一緒に切欠くようにしてもよい。つまり、突出片はハニカム構造材の端面全体に形成するようにしてもよいが、両側を除く中央部分に対してのみ形成するようにしてもよい。また、切欠き方法は特に限定されるものではないが、例えば回転刃を木口面に沿って相対的に移動させる方法を例示することができる。
【００１４】
次に、突出片折曲工程では、外方に突出した複数の突出片をパネル体の木口面（すなわち切欠かれた表面材及び裏面材の端面）に沿って折曲げる。これにより、木口面と略同一平面上に位置する複数の折曲突出片が形成される。
【００１５】
その後の貼着工程では、化粧縁部材を、複数の折曲突出片を含むパネル体の木口面に接着させる。つまり、化粧縁部材の内面またはパネル体の木口面のいずれか一方、あるいは双方に接着剤を塗布し、化粧縁部材と、複数の折曲突出片を有するパネル体の木口面とを突き合わせ圧着させる。このような工程を経て化粧縁部材を貼着させることにより、化粧縁部材の接着強度を大幅に高めた複合化粧パネルを製造することが可能になる。
【発明の効果】
【００１６】
このように、本発明によれば、ハニカム構造材の木口面に複数の折曲突出片が形成されることにより、化粧縁部材に対する接着面積が大幅に増え、パネル体と化粧縁部材との接着強度を高めることができ、ひいては化粧縁部材の剥がれを確実に防止することが可能となる。
【図面の簡単な説明】
【００１７】
【図１】本実施形態の複合化粧パネルの構成を示す分解斜視図である。
【図２】パネル体における要部の構成を示す拡大斜視図であり、（ａ）は従来の構成を示し、（ｂ）は本実施形態の構成を示している。
【図３】複合化粧パネルの製造工程に関する処理の流れを示す概念図である。
【図４】化粧縁部材の貼着方法等を模式的に示す説明図である。
【発明を実施するための形態】
【００１８】
以下、本発明の一実施形態である複合化粧パネルについて、図１及び図２に基づき説明する。本実施形態の複合化粧パネル１は、テーブルの天板、棚板、テレビ台、収納扉、または住宅の仕切壁やドア等として用いることが可能なものであり、図１に示すようにペーパーハニカム２を芯材とし、その表面側に貼り付けられた表面材３と、裏面側に貼り付けられた裏面材４とからサンドイッチ構造のパネル体５を構成している。また、パネル体５の木口面５ａには、化粧縁部材７が全周に亘って貼着されており、パネル体５の表面及び裏面だけでなく木口面５ａにおいても意匠性が高められている。ここで、ペーパーハニカム２が本発明のハニカム構造材に相当する。
【００１９】
各部材について詳しく説明する。ペーパーハニカム２は、長手方向に沿って波形に形成された波状部１０と、その波状部１０の頂部に接着され、幅及び長さが波状部１０と等しい平板状の平坦部１１と、から構成された片面段ボール９を一つの層として有している。そして、複数の片面段ボール９が平坦部１１に直交する水平方向に並設し互いに接着されることで一体化された板状のハニカム構造を構成している。このようなペーパーハニカム２は、紙を原材料として使用し、しかも内部に多くの空隙を有するため、パーティクルボード等の木質材と比べると軽量化が可能となり、しかもハニカム構造を有するため、反りや捩れを防止することが可能となっている。また、ペーパーハニカム２は、複数の片面段ボール９を水平方向に並べて構成されていることから、片面段ボール９の平坦部１１に並行な第一木口面２ａと、平坦部１１に直角な第二木口面２ｂとでは、端面形状が互いに異なっている。つまり、所定の大きさのパネル体５を形成するにあたって、平坦部１１と並行に波状部１０を切断した場合に現れる第一木口面２ａでは、波状部１０の切断面が空隙を介して一定の間隔で配置されるとともに、その空隙の奥側に平坦部１１が配置された形態となる。一方、平坦部１１に対して垂直に（すなわち片面段ボール９の積層方向に沿って）切断した場合に現れる第二木口面２ｂでは、平坦部１１の切断面が空隙を介して一定の間隔で配置されるとともに、その空隙内に波状部１０が配置された形態となる。なお、本例のペーパーハニカム２の第一木口面２ａ及び第二木口面２ｂには、特徴的な構成として、複数の折曲突出片１２が形成されているが、これについては後述する。
【００２０】
ペーパーハニカム２の表面側に接着剤を介して貼り付けられた表面材３は、メラミン化粧板１６及び紙管原紙１７から構成されている。メラミン化粧板１６は、家具やドア等の仕上面として一般に使用されているものであり、表面硬度が高いため傷がつき難く、また耐水性に優れ掃除がしやすいものとなっている。さらに、色や木目等様々な種類があるため、テーブルの天板としても装飾性の優れたものに仕上げることが可能である。一方、紙管原紙１７は、古紙を再生した再生紙であり、紙、箔、織物等を巻く芯棒の製造に用いられているものである。厚さは特に限定されるものではないが、本例では１ｍｍの紙管原紙１７を用いている。
【００２１】
ペーパーハニカム２の裏面側に接着剤を介して貼り付けられた裏面材４は、ＭＤＦ（中質繊維板）から構成されている。ＭＤＦは、木材を繊維状にほぐし接着剤を配合してボード状に成形したものであり、安定した強度を得るとともに、反りや捩れが生じにくく加工しやすいものとなっている。
【００２２】
化粧縁部材７は、ペーパーハニカム２、表面材３、及び裏面材４からなるパネル体５の木口面５ａ全体に貼着されており、ＡＢＳ樹脂で形成された帯状の形状を呈している。なお、ＡＢＳ樹脂以外の合成樹脂または木材で形成することも可能である。化粧縁部材７は、パネル体５の木口面５ａに対し接着剤を介して貼着されている。なお、接着剤の具体例としては、エチレンビニルアルコール（ＥＶＡ）と酢酸ビニルを共重合させた樹脂を主成分とするエチレン−酢酸ビニル樹脂ホットメルト接着剤や、非結晶性ポリプロピレン樹脂（ＡＰＰ）を主成分とするポリオレフィン樹脂ホットメルト接着剤を挙げることができる。
【００２３】
ところで、一般のペーパーハニカムは、内部に多くの空隙が形成されるように薄板状の部材を組合わせて蜂の巣状に構成されているため、パネル体を所望の大きさに切断した際の端面（木口面）は、図２（ａ）に示すように、ハニカム構造材を構成する薄板状の部材の端面５０（すなわち線状の部分）のみで接触することとなり、接着面積が極めて少なくなる。
【００２４】
これに対し、本例のペーパーハニカム２では、図２（ｂ）に示すように、第一木口面２ａ及び第二木口面２ｂにおいて、複数の折曲突出片１２が一体的に形成されており、これらの折曲突出片１２を含む木口面５ａに接着剤を介して化粧縁部材７が貼着されている。この折曲突出片１２は、パネル体５の木口面５ａから外方に突出する突出片１２ａ（図４（ｂ）参照）を、表面材３及び裏面材４の木口面３ａ，４ａに沿って折曲げられることで形成されたものである。これによれば、ペーパーハニカム２の端面における空隙が複数の折曲突出片１２によって塞がれた状態となり、化粧縁部材７に当接する面積、すなわち化粧縁部材７に対する接着面積を大幅に増やすことが可能になる。なお、本例では、化粧縁部材７の内面側に塗布された接着剤１４によって、化粧縁部材７の内面が、表面材３及び裏面材４の木口面３ａ，４ａにも接着されている。つまり、パネル体５の木口面５ａの略全体を接着対象面とすることにより、化粧縁部材７の接着強度が大幅に高められている。
【００２５】
次に、複合化粧パネル１の製造方法、特に複合化粧パネル１における化粧縁部材７の貼着方法について、図３及び図４を基に説明する。図３に示すように、製造ライン１９には、コンベア（図示しない）で搬送されるパネル体５に対して化粧縁部材７を貼着させる四つの工程、すなわち突出片形成工程２０、突出片折曲工程２１、接着剤塗布工程２２、及び圧着工程２３と、その後、化粧縁部材７を加工する四つの工程、すなわちエンドカット工程２４、トリミング工程２５、スクレーパ工程２６、及びラウンドトリミング工程２７とが設けられており、紙面右側から左側に向って順に行われるようになっている。
【００２６】
なお、パネル体５は平面視長方形であるため、全周に亘って化粧縁部材７を貼着する場合には、四つの木口面５ａに対して夫々化粧縁部材７を貼着させる必要があり、上記の製造ライン１９における一連の処理が４回繰り返されることになる。また、最後のラウンドトリミング工程２７は、全ての木口面５ａに化粧縁部材７を貼着した後に、一回だけ行われるようになっている。
【００２７】
各工程について説明する。突出片形成工程２０では、図４（ａ），（ｂ）に示すように、パネル体５における木口面５ａのうち、表面材３及び裏面材４の端面と、その端面に隣接する第一木口面２ａ及び第二木口面２ｂの両端側に対して回転刃物３０を当接させるとともに、その回転刃物３０を水平方向（図３では紙面手前方向）に相対的に移動させることで、表面材３及び裏面材４の端面を切欠き、パネル体５の木口面５ａから相対的に外方に突出する複数の突出片１２ａを形成する。なお、本例では、突出片１２ａの突出長さが、約５ｍｍとなるように、表面材３及び裏面材４の端面が切削させるようになっている。
【００２８】
突出片折曲工程２１では、図４（ｂ），（ｃ）に示すように、外方に突出した複数の突出片１２ａをパネル体５の木口面５ａ（すなわち切欠かれた表面材３及び裏面材４の端面）に沿って折曲げる。これにより、木口面５ａと略同一平面上に位置する複数の折曲突出片１２が形成される（図２（ｂ）参照）。また、突出片折曲工程２１では、突出片１２ａを折曲げた後、プレス機等で圧力をかけ端面を押し潰すようにしており、これによればペーパーハニカム２の端面が平坦な面に仕上げられる。
【００２９】
接着剤塗布工程２２では、図４（ｄ）に示すように、タンク（図示しない）に貯留された接着剤１４を化粧縁部材７の内面に供給しながら、塗布ローラ３２を転動させることにより、化粧縁部材７の内面全体に接着剤１４を均一の厚さで塗布する。なお、化粧縁部材７は、図示しない繰出し装置によって連続して繰出されるようになっており、接着剤塗布工程２２では、パネル体５の寸法に応じた必要長さの化粧縁部材７に対して接着剤１４が塗布される。なお、図４（ｄ）では便宜上、塗布ローラ３２の回転軸を水平方向とし上下方向に転動させるように示したが、回転軸を垂直方向として水平方向に（ラインに沿って）転動させるようにしてもよい。また、接着剤１４をパネル体５の木口面５ａ側に塗布するようにしてもよい。
【００３０】
圧着工程２３では、図４（ｅ）に示すように、内面に接着剤１４が塗布された化粧縁部材７と、折曲突出片１２が形成されたパネル体５の木口面５ａとを突き合わせ、その後、化粧縁部材７の外面上で押えローラ３３を転動させることにより、化粧縁部材７とパネル体５を圧着させる。この際、化粧縁部材７の幅（上下方向の長さ）は、パネル体５の厚みよりも大きくなっており、パネル体５の木口面５ａに対する化粧縁部材７の貼着位置が上下方向にずれても、パネル体５の木口面５ａを確実に覆うことが可能になっている。なお、図４（ｅ）では便宜上、押えローラ３３の回転軸を水平方向とし上下方向に転動させるように示したが、回転軸を垂直方向として水平方向に（ラインに沿って）転動させるようにしてもよい。ここで、接着剤塗布工程２２及び圧着工程２３を組合わせたものが本発明の貼着工程に相当する。
【００３１】
なお、圧着工程２３の終了後に行われるエンドカット工程２４〜ラウンドトリミング工程２７は、従来から実施されている周知の工程であるため、ここでは詳細な説明を省略するが、エンドカット工程２４では、繰出し装置によって連続して繰出される化粧縁部材７を貼着後に切断する。また、トリミング工程２５は、図４（ｆ）に示すように、パネル体５の上面または下面からはみ出した化粧縁部材７の余剰部分を刃物（図示しない）によって切除する。スクレーパ工程２６は、図４（ｇ）に示すように、化粧縁部材７における上下の縁部３４に対し刃物（図示しない）を長手方向に摺接させることで、縁部３４の面取りを行う。また、ラウンドトリミング工程２７では、図４（ｈ）に示すように、化粧縁部材７の端面同士の突き合わせ部分３５に対して刃物（図示しない）を上下方向に摺接させることで、部分３５の面取りを行う。
【００３２】
このように、本実施形態の複合化粧パネル１によれば、ペーパーハニカム２の第一木口面２ａ及び第二木口面２ｂに、複数の折曲突出片１２が形成されており、これらの折曲突出片１２を含むパネル体５の木口面５ａに、接着剤１４を介して化粧縁部材７が貼着されているため、化粧縁部材７に対する接着面積が大幅に増え、パネル体５と化粧縁部材７との接着強度を高めることができ、ひいては化粧縁部材７の剥がれを確実に防止することができる。
【００３３】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００３４】
すなわち、上記実施形態では、表面材３として、メラミン化粧板１６及び紙管原紙１７を用いるものを示したが、裏面材４と同様、ＭＤＦ等の木質材を用いるようにしてもよい。
【００３５】
また、上記実施形態では、ペーパーハニカム２に対して表面材３及び裏面材４を直接接着するものを示したが、ペーパーハニカム２の表面側及び裏面側に段ボール等の紙部材を予め貼着してなるペーパーハニカムボードに対して表面材３及び裏面材４を接着するようにしてもよい。
【００３６】
また、上記実施形態では、ハニカム構造材として紙から構成されたペーパーハニカム１０を用いるものを示したが、アルミニウム等の軽金属または紙に樹脂を含浸させたもので構成されたハニカム構造材を用いることも可能である。また、ハニカムの構造も特に限定されるものではなく、例えば六角形のセルを多数配列して形成されたものを用いるようにしてもよい。
【００３７】
さらに、上記実施形態では、化粧縁部材７をパネル体５の全周（４つの木口面）にわたって装着するものを示したが、一部の木口面にのみ装着させるようにしてもよい。
【符号の説明】
【００３８】
１  複合化粧パネル
２  ペーパーハニカム（ハニカム構造材）
３  表面材
４  裏面材
５  パネル体
５  木口面
７  化粧縁部材
１２  折曲突出片
１２ａ  突出片
１４  接着剤
２０  突出片形成工程
２１  突出片折曲工程
２２  接着剤塗布工程（貼着工程）
２３  圧着工程（貼着工程）
【先行技術文献】
【特許文献】
【００３９】
【特許文献１】特開平１０−７１１号
【特許文献２】特開２００６−１６８１５８号
【図１】
2010260252.tif 000003
【図２】
2010260252.tif 000004
【図３】
2010260252.tif 000005
【図４】
2010260252.tif 000006